(57)【要約】【課題】突然の電源遮断時に画像表示用設定情報を保護できる画像表示装置を提供する。【解決手段】画像表示装置は、画像表示部４４１と、制御手段６と、電力供給手段５１とを備える。制御手段６は、装置全体を制御する主制御系６１と、主制御系６１と通信接続され、主制御系６１の信号により画像表示部４４１の制御を行う表示制御系６２と、表示制御系６２の信号により、画像表示用設定情報が書き込まれるメモリ６３とを備える。電力供給手段５１は、外部電源の電力供給状態を監視し、電力供給遮断時に表示制御系６２に電源遮断信号を出力する電源遮断検出部５１１１，５１２２，５１２３と、電力遮断時に保持電力を供給する電力保持部５１１３Ａとを備える。表示制御系６２は、電源遮断信号が入力されると、主制御系６１との通信を遮断する通信遮断部を備える。従って、電力供給遮断時に、画像表示用設定情報を保護できる。【選択図】  図６
2006071929.tif 000002
【特許請求の範囲】
【請求項１】
外部から入力される映像情報に応じて画像を表示する画像表示部を備えた画像表示装置であって、
当該画像表示装置の駆動を制御する制御手段と、少なくとも当該制御手段および前記画像表示部に電力を供給する電力供給手段とを備え、
前記制御手段は、
当該画像表示装置全体の制御を行う主制御系と、
この主制御系と通信接続され、前記主制御系からの信号に基づいて、前記画像表示部の駆動制御を行う表示制御系と、
この表示制御系の信号に基づいて、前記画像表示部の画像表示用設定情報が書き込まれるメモリとを備え、
前記電力供給手段は、
外部電源の電力供給状態を監視し、電力供給遮断時に前記表示制御系に電源遮断信号を出力する電源遮断検出部と、
前記外部電源から供給された電力の一部を保持し、電力遮断時に保持された電力を、少なくとも前記表示制御系に供給する電力保持部とを備え、
前記表示制御系は、前記電源遮断信号が入力されると、前記電力保持部から供給される電力により、前記主制御系との通信を遮断する通信遮断部を備えていることを特徴とする画像表示装置。
【請求項２】
請求項１に記載の画像表示装置において、
前記表示制御系は、前記電源遮断信号が入力されると、前記通信遮断部による前記主制御系との通信遮断とともに、前記電力保持部から供給される電力により、前記電源遮断信号入力前の画像表示用設定情報を前記メモリに書き込む情報書込部を備えていることを特徴とする画像表示装置。
【請求項３】
請求項１または請求項２に記載の画像表示装置において、
前記主制御系は、
前記表示制御系との通信状態を定期的に監視する通信監視部と、
この通信監視部により通信遮断が検出されると、エラー信号を生成出力するエラー信号出力部とを備えていることを特徴とする画像表示装置。
【請求項４】
請求項３に記載の画像表示装置において、
前記主制御系および前記電力供給手段と電気的に接続され、前記エラー信号出力部からのエラー信号に基づいて、障害が発生した旨の警告を出力する警告出力部を備えていることを特徴とする画像表示装置。
【請求項５】
請求項３または請求項４に記載の画像表示装置において、
前記主制御系と、前記電力供給手段と、前記画像表示部を照明する光源とに電気的に接続され、前記エラー信号出力部からのエラー信号に基づいて、前記光源への電力供給を規制する電力規制部を備えていることを特徴とする画像表示装置。
【発明の詳細な説明】
【技術分野】
【０００１】
本発明は、外部から入力される映像情報に応じて画像を表示する画像表示部を備えた画像表示装置に関する。
【背景技術】
【０００２】
従来、会議、学会、展示会等でのプレゼンテーション等にプロジェクタが用いられている。このようなプロジェクタは、光源と、この光源から射出された光束を画像情報に応じて変調して光学像を形成する光変調装置と、この光変調装置によって形成された光学像を拡大投射する投射レンズと、当該プロジェクタ全体の駆動を制御する制御部とを備えて構成されている。
【０００３】
ところで、近年のプロジェクタは、その使用環境、投射画像の種類、および、使用者の好み等によって、例えば、色合い、色の濃さ、コントラスト、シャープネス、ブライトネス等の画質情報、すなわち、光変調装置等の画像表示用設定情報を、使用者が変更できるように構成されている。しかしながら、このような画像表示用設定情報を変更しても、電源スイッチをオフした後、再度オンした場合に、変更した画像表示用設定情報が元に戻っているようでは、再び設定し直す必要があり、使用者にとっては煩わしい。
【０００４】
このような問題に対して、プロジェクタの電源スイッチがオフされた場合に、制御部が上記の画像表示用設定情報（画質情報）を記憶装置に保存するプロジェクタが知られている（例えば、特許文献１参照）。この特許文献１に記載のプロジェクタは、使用者により電源スイッチがオフされた場合に、制御部が電源スイッチのオフを検出して、ＥＥＰＲＯＭにより構成されたメモリに画像表示用設定情報を保存した後、光源等への電力供給を遮断する。この後、再度電源スイッチがオンされた場合には、制御部は、メモリに保存された設定情報を読み込み、この設定情報に基づいてプロジェクタを駆動制御して画像を投射する。これにより、使用者の電源スイッチのオン／オフに応じて、画像表示用設定情報の読込／保存を行うことができ、使用者が表示画質の設定をし直す煩雑さを解消することができる。
【０００５】
【特許文献１】特開２０００−８１６６６号公報
【発明の開示】
【発明が解決しようとする課題】
【０００６】
しかしながら、特許文献１に記載のプロジェクタでは、外部商用電源との接続が外れたり、停電時のように突然電力供給が遮断された場合では、使用者によって電源スイッチがオフされた場合とは異なるため、画像表示用設定情報の保存や電源遮断処理を正常に行うことができないという問題があった。また、電力供給遮断時では、電源電位の変動等により、保存されていた設定情報が誤ったデータで更新されたり消去される場合がある。このため、電源復旧後に、再度電源スイッチをオンすると、設定情報が正しく保存されていないので、表示画像が乱れるという問題があった。
【０００７】
本発明の目的は、突然の電源遮断時に画像表示用設定情報を保護することができる画像表示装置を提供することである。
【課題を解決するための手段】
【０００８】
前記した目的を達するために、本発明の画像表示装置は、外部から入力される映像情報に応じて画像を表示する画像表示部を備えた画像表示装置であって、当該画像表示装置の駆動を制御する制御手段と、少なくとも当該制御手段および前記画像表示部に電力を供給する電力供給手段とを備え、前記制御手段は、当該画像表示装置全体の制御を行う主制御系と、この主制御系と通信接続され、前記主制御系からの信号に基づいて、前記画像表示部の駆動制御を行う表示制御系と、この表示制御系の信号に基づいて、前記画像表示部の画像表示用設定情報が書き込まれるメモリとを備え、前記電力供給手段は、外部電源の電力供給状態を監視し、電力供給遮断時に前記表示制御系に電源遮断信号を出力する電源遮断検出部と、前記外部電源から供給された電力の一部を保持し、電力遮断時に保持された電力を、少なくとも前記表示制御系に供給する電力保持部とを備え、前記表示制御系は、前記電源遮断信号が入力されると、前記電力保持部から供給される電力により、前記主制御系との通信を遮断する通信遮断部を備えていることを特徴とする。
【０００９】
本発明によれば、外部電源からの電力供給が遮断された場合に、主制御系と表示制御系との通信を遮断することにより、表示制御系によって、メモリに保存された画像表示用設定情報が、主制御系から出力された画像表示部の画像表示用設定情報や制御信号により更新および削除されることを防ぐことができる。
すなわち、電源遮断時の電源電位の変動等により、主制御系が誤った画像表示用設定情報や制御信号を表示制御系に出力しても、主制御系と表示制御系との通信が遮断されているので、主制御系から出力された設定情報が表示制御系に入力されることがない。これにより、表示制御系が、メモリに保存されていた画像表示用設定情報を誤った情報で更新したり削除してしまうことを防ぐことができる。
従って、メモリに保存されていた画像表示部の画像表示用設定情報が、誤った情報で更新されることを防ぐことができ、画像表示用設定情報を保護することができる。
【００１０】
また、電源遮断信号は、メモリへの設定情報の保存を行う表示制御系に出力され、当該電源遮断信号が入力した表示制御系は、主制御系との通信を遮断して、主制御系からの信号を受け付けないようにする。これによれば、画像表示装置全体の制御情報や処理等が集中する主制御系に電源遮断信号が出力され、当該主制御系によって表示制御系との通信が遮断される場合に比べ、通信遮断処理を迅速に行うことができる。従って、電源遮断時の処理を迅速に行うことができ、画像表示用設定情報の保守性を一層高めることができる。
さらに、表示制御系と主制御系との通信の遮断は、電力供給手段の電力保持部によって一時的に保持された電力が用いられる。これによれば、電源遮断時でも表示制御系の駆動電力を確保することができる。従って、主制御系と表示制御系との通信接続の遮断を確実に行うことができる。
【００１１】
このような本発明では、前記表示制御系は、前記電源遮断信号が入力されると、前記通信遮断部による前記主制御系との通信遮断とともに、前記電力保持部から供給される電力により、前記電源遮断信号入力前の画像表示用設定情報を前記メモリに書き込む情報書込部を備えていることが好ましい。
本発明によれば、表示制御系は、電源遮断時に、電源遮断信号が入力される前に読み込んでいた最新の画像表示用設定情報をメモリに保存する。これによれば、最新の画像表示用設定情報の保護・保存を確実に行うことができる。
また、表示制御系が、主制御系との通信を遮断した後に、画像表示用設定情報を保存する場合では、主制御系からの誤った情報に基づく画像表示用設定情報の保存が行われることを防ぐことができる。従って、画像表示用設定情報の保守性を一層向上することができる。
【００１２】
また、本発明では、前記主制御系は、前記表示制御系との通信状態を定期的に監視する通信監視部と、この通信監視部により通信遮断が検出されると、エラー信号を生成出力するエラー信号出力部とを備えていることが好ましい。
このような場合、前述の画像表示装置は、前記主制御系および前記電力供給手段と電気的に接続され、前記エラー信号出力部からのエラー信号に基づいて、障害が発生した旨の警告を出力する警告出力部を備えていることが好ましい。
【００１３】
本発明によれば、主制御系の通信監視部により、表示制御系との通信状態が定期的に監視されるので、主制御系が、表示制御系との通信が遮断されたこと、すなわち、外部電源からの電力供給の遮断が発生したことを検出することができる。また、主制御系には、電力供給の遮断が検出された場合に、エラー信号を生成出力するエラー信号出力部を備えているので、エラー信号を出力することにより、画像表示装置を構成する構成部品によって、当該エラー信号に基づくエラー処理を実行することができる。
さらに、このようなエラー信号が入力した警告出力部は、当該エラー信号に基づいて、画像表示装置に障害が発生した旨の警告を出力するので、使用者に確実に障害発生を通知することができる。このような警告出力部は、インジケータ、スピーカ等により構成できる。すなわち、警告出力部をインジケータで構成した場合では、エラー信号が入力した場合に点滅または点灯して、また、スピーカで構成した場合では、警告音を鳴らすことにより、使用者に障害発生を通知することができる。
【００１４】
また、本発明では、前記主制御系と、前記電力供給手段と、前記画像表示部を照明する光源とに電気的に接続され、前記エラー信号出力部からのエラー信号に基づいて、前記光源への電力供給を規制する電力規制部を備えていることが好ましい。
本発明によれば、主制御系のエラー信号出力部からのエラー信号が電力規制部に入力すると、当該電力規制部により、光源への電力供給が規制されるので、画像表示部が照明されることを防ぐことができ、乱れた画像が表示されることを防ぐことができる。従って、電源遮断時の電源電位の変異により、異常な画像が表示されることを防ぐことができる。
また、電力供給が復旧した場合でも、光源への電力供給が規制され、光源による画像表示部の照明が行われないので、当該画像表示部に画像が表示されず、使用者に画像表示装置に障害が発生したことを通知することができる。
【発明を実施するための最良の形態】
【００１５】
以下、本発明の一実施形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を上方背面側から見た斜視図である。
画像表示装置としてのプロジェクタ１は、光源から射出された光束を画像情報に応じて変調し、スクリーン等の投射面上に拡大投射する。このプロジェクタ１は、図１〜図３に示すように、略直方体状の外装ケース２、および、この外装ケース２から露出する投射レンズ３を備えている。
このうち、投射レンズ３は、後述する光変調装置としての液晶パネル４４１（図５参照）で変調形成された光学像を拡大投射する投射光学系としての機能を具備するものであり、鏡筒としてのレンズ保持筒３Ａ内部に複数のレンズが収納された組レンズとして構成されている。
【００１６】
外装ケース２は、平面視略矩形状の合成樹脂製の筐体であり、プロジェクタ１の後述する光学ユニット４を含む装置本体を収納する。この外装ケース２は、装置本体の上面部分を覆うアッパーケース２１と、装置本体の下面部分を覆うロアーケース２２と、装置本体の前面部分を覆うフロントケース２３と、装置本体の側面部分の一部を覆うサイドケース２４と、装置本体の背面部分を覆うリアケース２５（図３参照）を備えている。
なお、この外装ケース２の上面、前面、側面、底面、背面の角部分は、曲面状に形成されている。
【００１７】
アッパーケース２１は、装置本体の上面部分を覆う平面略矩形形状の上面部２１Ａと、この上面部２１Ａの長辺方向の一方の端部から略垂下する側面部２１Ｂと、上面部２１Ａの長辺方向の他方の端部の前方部分から略垂下する側面部２１Ｃと、上面部２１Ａの後端部から略垂下する背面部２１Ｄ（図３参照）とを備えている。
上面部２１Ａの背面側略中央部分には、図１および図３に示すように、プロジェクタ１の起動・調整操作を実施する操作パネル２６が、左右方向に延びるように設けられている。この操作パネル２６には、電源スイッチ２６２を含む複数の操作スイッチ２６１、および、プロジェクタ１の駆動に障害が発生した場合に点灯するインジケータ２６３（図３では図示省略）が配置され、これら操作スイッチ２６１および電源スイッチ２６２を適宜押下すると、操作パネル２６内部に配置される図示しない回路基板に実装されたタクトスイッチと接触し、所望の操作が可能となる。また、回路基板には、ここでは図示しないＬＥＤが取り付けられており、所望の操作に応じて発光するようになっている。
さらに、操作パネル２６は、操作スイッチ２６１、電源スイッチ２６２およびインジケータ２６３を囲むように配置される化粧板２６４を備えており、ＬＥＤからの光は化粧板２６４を介して拡散される。
【００１８】
また、この上面部２１Ａの前面側（図１における右側）からは、投射レンズ３を上下左右に動かし、投射レンズ３の位置を調整する投射レンズ位置調整機構（図示省略）を構成する２つのダイアル３１１，３２１が露出している。
これら２つのダイアル３１１，３２１のうち、図１における左側に配置されたダイアル３１１をＹ１方向（下方）に動かすと、投射レンズ３がＹ３方向（下方）に動き、ダイアル３１１をＹ２方向（上方）に動かすと、投射レンズ３がＹ４方向（上方）に動くこととなる。
また、図１における右側に配置されたダイアル３２１をＸ１方向（プロジェクタ１後方からみて右方向）に動かすと、投射レンズがＸ３方向（右方向）に動き、ダイアル３２１をＸ２方向（プロジェクタ１後方から見て左方向）に動かすと、投射レンズ３がＸ４方向（左方向）に動くこととなる。
さらに、上面部２１Ａの内面側には、図示を略すが、投射レンズ３の外周を囲うようなリブが立設されている。
【００１９】
側面部２１Ｃには、複数の羽根板７１１から構成されるルーバ７１が露出する切り欠き２１Ｃ１が形成されている。
また、図３に示すように、背面部２１Ｄには、リアケース２５が係合する切り欠き２１Ｄ１が形成されている。
【００２０】
ロアーケース２２は、図１〜図３に示すように、底面部２２Ａ、側面部２２Ｂ、２２Ｃ、背面部２２Ｄ、前面部２２Ｅを備えている。
底面部２２Ａは、平面略矩形形状であり、この底面部２２Ａのプロジェクタ１の背面側略中央には、固定脚部２２Ａ１が設けられるとともに、前面側の長辺方向両端に調整脚部２７が設けられている。
調整脚部２７は、底面部２２Ａから面外方向に進退自在に突出する軸状部材２７１（図４参照）を備えており、プロジェクタ１の投射時におけるプロジェクタ１の上下方向（煽り方向）および左右方向の傾斜位置を調整可能としている。
また、底面部２２Ａには、外装ケース２の内部と連通する開口部２２Ａ３が形成されている。この開口部２２Ａ３は、外装ケース２外部の冷却空気を外装ケース２内部に取り込む吸気口であり、この開口部２２Ａ３には、複数の開口が形成されたカバー２２Ａ５が取り付けられている。
【００２１】
側面部２２Ｂは、底面部２２Ａの長辺方向の一方の端部から立設されたものであり、図２に示すように、アッパーケース２１の側面部２１Ｂと係合して、外装ケース２の側面を構成する。
この側面部２２Ｂには、アッパーケース２１側に窪んだ窪み部２２Ｂ１が形成されており、この窪み部２２Ｂ１はプロジェクタ１を把持する際に把持部として使用される。
側面部２２Ｃは、図１に示すように、底面部２２Ａの長辺方向の他方の端部の前面側部分から立設されたものであり、アッパーケース２１の側面部２１Ｃと係合して、外装ケース２の側面の一部を構成する。この側面部２２Ｃは、その上端が大きく切りかかれており、この切り欠き２２Ｃ１からルーバ７１が露出する。すなわち、側面部２１Ｃの切り欠き２１Ｃ１と、側面部２２Ｃの切り欠き２２Ｃ１とにより、ルーバ７１が露出する開口が形成される。この開口からは、プロジェクタ１内部を冷却した空気が排出される。
【００２２】
図３に示すように、背面部２２Ｄは、底面部２２Ａの短辺方向の一方の端部から立設されたものであり、この背面部２２Ｄには、リアケース２５が係合する切り欠き２２Ｄ１が形成されている。すなわち、本実施形態では、背面部２１Ｄ，２２Ｄ、リアケース２５とで、外装ケース２の背面が構成されることとなる。
この背面部２２Ｄには、矩形状の開口２２Ｄ２が形成され、この開口２２Ｄ２からは、インレットコネクタ２２Ｄ３が露出している。インレットコネクタ２２Ｄ３は、外部電源からプロジェクタ１に電力を供給する端子であり、後述する電源ユニット５と電気的に接続されている。
再度、図１に示すように、前面部２２Ｅは、底面部２２Ａの短辺方向の他方の端部から立設されている。この前面部２２Ｅは、フロントケース２３と係合し、これらにより外装ケース２の前面が構成されることとなる。
【００２３】
フロントケース２３は、図１および図２に示すように、略楕円形状を有し、その長手方向端部側（図１右側）に投射レンズ３を露出させるための開口２３１が形成されている。
また、フロントケース２３の略中央部分には、リモコン受光窓２３２が形成される。このリモコン受光窓２３２の内側には、図示しないリモートコントローラからの操作信号を受信するリモコン受光部２３２１（図１〜図３では図示省略）が配置されている。
なお、リモートコントローラには、前述した操作パネル２６に設けられる電源スイッチ２６２を含む操作スイッチ２６１と同様のものが設けられており、リモートコントローラを操作すると、この操作に応じた赤外線信号がリモートコントローラから出力され、この赤外線信号は、リモコン受光窓２３２を介してリモコン受光部２３２１で受光され、後述する制御基板６で処理される。
【００２４】
サイドケース２４は、図１および図３に示すように、上面部２４Ａと、上面部２４Ａから略垂下した側面部２４Ｃとを備えている。上面部２４Ａは、アッパーケース２１の上面部２１Ａに係合して、外装ケース２の上面を構成する。
側面部２４Ｃは、アッパーケース２１の側面部２１Ｃ、ロア−ケース２２の側面部２２Ｃに係合する。
【００２５】
図３に示すように、リアケース２５は、アッパーケース２１の背面部２１Ｄの切り欠き２１Ｄ１と、ロアーケース２２の背面部２２Ｄの切り欠き２２Ｄ１とで形成される開口に嵌め込まれて固定される。
このリアケース２５は平面略矩形状を有しており、その長手方向の端部近傍には、フロントケース２３と同様のリモコン受光窓２３２が形成されている。
また、このリアケース２５には、外装ケース２内部側に窪んだ凹部２５１が形成されており、この凹部２５１から複数の接続端子２５２が露出している。
接続端子２５２は、外部の電子機器からの画像信号、音声信号等を入力するためのものであり、この接続端子２５２は、リアケース２５の内側に位置するインターフェイス基板（図示省略）に接続されている。
なお、このインターフェイス基板は、後述する制御基板６と、電気的に接続されており、このインターフェイス基板にて処理された信号は、制御基板６に出力される。
【００２６】
（２）内部構成
図４は、プロジェクタ１の内部構成を示す図である。具体的には、外装ケース２のロアーケース２２のみ残し、アッパーケース２１と、フロントケース２３と、サイドケース２４と、リアケース２５とを外した図である。
外装ケース２の内部には、プロジェクタ１の装置本体が収容されており、この装置本体は、外装ケース２の長手方向に沿って左右方向に延びる光学ユニット４と、電源ユニット５と、光学ユニット４の上方に配置される制御手段としての制御基板６とを備えて構成されている。
【００２７】
（３）光学ユニット４の構造
図５は、光学ユニット４の構成を示す模式図である。
光学ユニット４は、光源装置から射出された光束を画像情報に応じて変調して光学像を形成し、投射レンズ３を介してスクリーン等の投射面上に投射画像を形成するものである。この光学ユニット４は、図５に示すように、インテグレータ照明光学系４１と、色分離光学系４２と、リレー光学系４３と、光変調装置および色合成光学装置を一体化した光学装置４４と、これら光学部品４１，４２，４３，４４を収納配置する図示しない光学部品用筐体とに機能的に大別される。
【００２８】
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成されている。
【００２９】
光源装置４１１は、放射光源としての光源ランプ４１１Ａ、リフレクタ４１１Ｂ、およびリフレクタ４１１Ｂの光束射出面を覆う防爆ガラス４１１Ｃを備えている。そして、光源ランプ４１１Ａから射出された放射状の光束は、リフレクタ４１１Ｂで反射されて略平行光束とされ、外部へと射出される。
なお、本実施形態では、光源ランプ４１１Ａとして、高圧水銀ランプを採用しているが、これに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００３０】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００３１】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１１Ａからの光束の略半分が利用されない。このため、偏光変換素子４１４を用いて、光源ランプ４１１Ａから射出された光束を略１種類の偏光光に変換することにより、光学装置４４における光の利用効率を高めている。なお、このような偏光変換素子４１４は、例えば、特開平８−３０４７３９号公報に紹介されている。
【００３２】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
リレー光学系４３は、入射側レンズ４３１と、一対のリレーレンズ４３３と、反射ミラー４３２，４３５とを備えている。このリレー光学系４３は、色分離光学系４２で分離された色光である青色光を、光学装置４４の後述する液晶パネル４４１Ｂまで導く機能を有している。
【００３３】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色用の液晶パネル４４１Ｒに到達する。このフィールドレンズ４１９は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４１９も同様である。
【００３４】
また、ダイクロイックミラー４２１を透過した青色光と緑色光のうちで、緑色光は、ダイクロイックミラー４２２によって反射し、フィールドレンズ４１９を通って、緑色光用の液晶パネル４４１Ｇに到達する。一方、青色光は、ダイクロイックミラー４２２を透過してリレー光学系４３を通り、さらにフィールドレンズ４１９を通って、青色光用の液晶パネル４４１Ｂに到達する。
なお、青色光にリレー光学系４３が用いられているのは、青色光の光路の長さが他の色光の光路の長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３５】
光学装置４４は、入射された光束を画像情報に応じて変調してカラー画像を形成する。この光学装置４４は、色分離光学系４２で分離された各色光が入射される３つの入射側偏光板４４２と、この入射側偏光板４４２の後段に配置される光変調装置としての液晶パネル４４１（４４１Ｒ，４４１Ｇ，４４１Ｂ）および射出側偏光板４４４と、色合成光学装置としてのクロスダイクロイックプリズム４４５とを備える。
【００３６】
液晶パネル４４１Ｒ，４４１Ｇ，４４１Ｂは、本実施形態の画像表示部として構成されるものであり、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３７】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみを透過させ、その他の光束を吸収するものであり、透過させる偏光光の偏光軸は、入射側偏光板４４２における透過させる偏光光の偏光軸に対して直交するように設定されている。
【００３８】
クロスダイクロイックプリズム４４５は、射出側偏光板４４４から射出され、色光毎に変調された光学像を合成して、カラー画像を形成するものである。このクロスダイクロイックプリズム４４５には、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニットとして構成される。
【００３９】
（４）電源ユニット５の構成
図６は、電源ユニット５および制御基板６の構成を示すブロック図である。
電源ユニット５は、光源装置４１１、後述する制御基板６、および、液晶パネル４４１等に電力を供給するものであり、外装ケース２のフロントケース２３の長手方向に沿って配置されている。
この電源ユニット５は、図４および図６に示すように、電力供給手段としての電源ブロック５１と、この電源ブロック５１の下方に配置されるランプ駆動ブロック５２（図４では図示省略）と、ランプ駆動ブロック５２へ供給される電力を規制する電力規制部５３（図４では図示省略）とを備えている。
このうち、電源ブロック５１は、シールド部材としての筒状部材５Ａによって覆われており、筒状部材５Ａは、アルミニウムから構成され、両端が開口された略箱状に形成されている。
【００４０】
（4-1）電源ブロック５１の構成
電源ブロック５１は、インレットコネクタ２２Ｄ３に接続された電源ケーブルを通して外部から供給された電力を、ランプ駆動ブロック５２および制御基板６等に供給する。
電源ブロック５１は、図６に示すように、一次側電力供給系５１１と、二次側電力供給系５１２とに区分される。
【００４１】
このうち、一次側電力供給系５１１は、外部電源から供給される電力の流れる順に、電力供給監視部５１１１と、整流回路５１１２と、平滑回路５１１３と、昇圧回路５１１４とを含んで構成されている。
電力供給監視部５１１１は、本発明の電源遮断検出部を構成するものであり、外部電源から供給される電力の供給状態を監視し、電力供給状態が遮断された場合に、後述する二次側電力供給系５１２を構成する信号入力部５１２２に、電力供給が遮断された旨を示す信号を出力する。このような電力供給監視部５１１１は、フォトダイオード等の発光素子によって構成することができる。すなわち、電力供給監視部５１１１は、電力供給状態では発光し、電力供給遮断状態では発光しないことを信号として、後述する信号入力部５１２２に当該信号を出力する。
【００４２】
整流回路５１１２は、電力供給監視部５１１１を介して供給される電力の交流電流から脈流電流を生成する。このような整流回路５１１２は、ダイオードを４つ組み合わせて構成されるダイオードブリッジ等によって構成することができる。
平滑回路５１１３は、整流回路５１１２によって生成された脈流電流を直流電流に平滑化する。このような平滑回路５１１３は、コンデンサを含んで構成され、このコンデンサにより安定した直流電流が供給される。また、このコンデンサは、外部電源からの電力供給が遮断された際に、制御基板６等への電力供給が可能とされるように、電力保持量の大きいコンデンサが用いられ、このコンデンサが、本発明の電力保持部５１１３Ａとされている。これによれば、電力保持部５１１３Ａに相当する電子部品を、電力供給手段である電源ユニット５に別途設ける必要がなくなる。従って、汎用の電源ユニットで構成することができ、また、電源ユニット５の構成を簡素化することができる。
昇圧回路５１１４は、トランス等から構成され、直流変換された電流の電圧を昇圧する。この昇圧回路５１１２を経て昇圧された電力は、一部が電力規制部５３を介してランプ駆動ブロック５２に供給され、もう一部が二次側電力供給系５１２の変圧回路５１２１に供給される。
【００４３】
二次側電力供給系５１２は、一次側電力供給系５１１から供給される電力を、プロジェクタ１を構成する各電子部品に供給するものである。この二次側電力供給系５１２は、変圧回路５１２１と、信号入力部５１２２と、遮断信号出力部５１２３とを備えて構成されている。
このうち、変圧回路５１２１は、一次側電力供給系５１１の昇圧回路５１１４から供給される電力の電圧を、プロジェクタ１を構成する電子部品に応じて変圧して供給するものである。
【００４４】
信号入力部５１２２および遮断信号出力部５１２３は、一次側電力供給系５１１の電力供給監視部５１１１とともに、本発明の電源遮断検出部を構成するものである。
このうち、信号入力部５１２２には、電力供給が遮断された旨の信号が電力供給監視部５１１１から入力される。この信号が信号入力部５１２２に入力されると、当該信号入力部５１２２は、遮断信号出力部５１２３に所定の信号を出力する。
【００４５】
信号入力部５１２２は、前述の電力供給監視部５１１１が発光素子で構成されている場合には、当該発光素子からの光を受光するフォトトランジスタ等の受光素子で構成することができる。このような発光素子によって構成された電力供給監視部５１１１により、電力供給状態の変化を、発光素子の発光強度の変化で表すことができ、また、受光素子によって構成された信号入力部５１２２により、当該発光強度を検出して、電力供給状態の変化を検出することができる。従って、電力供給監視部５１１１および信号入力部５１２２を発光素子および受光素子によって構成することにより、電力供給状態を、迅速に、かつ、簡易な構成で検出することができる。
【００４６】
遮断信号出力部５１２３は、信号入力部５１２２からの信号入力が所定の期間継続すると、電源遮断信号を生成し、後述する制御基板６を構成する表示制御系６２の電源遮断信号受信部６２５に、当該電源遮断信号を出力する。本実施形態では、遮断信号出力部５１２３は、外部商用電源から供給される交流電流の１サイクル以上の遮断を検出できるように、信号入力部５１２２からの信号入力継続期間が、２５ｍｓｅｃ以上である場合に、電源遮断信号を生成出力する。これにより、遮断信号出力部５１２３が、瞬間停電を継続的な停電とみなすことを防ぐことができ、プロジェクタ１を安定して駆動することができる。
なお、本実施形態では、信号入力継続期間が２５ｍｓｅｃ以上である場合に、電力供給が遮断されたとするとしたが、電力供給が遮断されたとみなす信号入力継続期間は、２５ｍｓｅｃ以上でも以下でもよく、適宜設定してよい。
【００４７】
これら電力供給監視部５１１１、信号入力部５１２２および遮断信号出力部５１２３のうち、電力供給監視部５１１１により、一次側電力供給系５１１における電流変換に先立って、電力供給状態を検出することができる。また、信号入力部５１２２および遮断信号出力部５１２３により、電力供給監視部５１１１からの信号に基づいて、電力保持部５１１３Ａから電力供給遮断時に供給される電力を用いて、電源遮断信号を生成、出力することができる。従って、迅速かつ確実に、後述する制御基板６の表示制御系６２に電源遮断信号を出力することができる。
【００４８】
（4-2）ランプ駆動ブロック５２の構成
ランプ駆動ブロック５２は、電源ブロック５１から、電力規制部５３を介して入力する直流電流を整流、変圧して、交流矩形波電流を発生させ、この交流矩形波電流を光源装置４１１の光源ランプ４１１Ａに供給する。
このランプ駆動ブロック５２は、図６に示すように、電源ブロック５１から供給される電流の流れる順に、ダウンコンバータ５２１と、インバータブリッジ５２２と、イグナイタ５２３とを備えて構成されている。
【００４９】
ダウンコンバータ５２１は、高周波ノイズを除去するとともに、供給された直流電流を降圧化する。具体的には、略３００〜４００Ｖで入力する直流電圧を、光源ランプ４１１Ａの点灯に適した略５０〜１５０Ｖに降圧する。このようなダウンコンバータ５２１は、詳しい図示は省略するが、直列接続されるコイル素子およびダイオードと、これらの回路素子から分岐して接続されるトランジスタおよびコンデンサとを備えて構成される。
【００５０】
インバータブリッジ５２２は、直流電流を交流矩形波電流に変換する。このインバータブリッジ５２２は、図示を略したが、一対のトランジスタを２つ、計４つのトランジスタを備えるブリッジ回路として構成されている。このブリッジ回路には、ダウンコンバータ５２１を経て降圧された直流電流が入力され、それぞれのトランジスタにパルス信号を与えると、一方の一対のトランジスタを含む経路と、他方の一対のトランジスタを含む経路とが交互に短絡して電流が流れる。これにより、交流矩形波電流を発生させることができる。
【００５１】
イグナイタ５２３は、光源ランプ４１１Ａの電極間の絶縁破壊を行って、光源ランプ４１１Ａの始動を促す回路として構成されている。
このイグナイタ５２３は、図示を略したが、高圧パルス発生回路、および、この高圧パルス発生回路が一次側に接続されるパルストランスを備え、高圧パルス発生回路で発生した高電圧パルスを、パルストランスの二次側で昇圧し、昇圧した電力を光源ランプ４１１Ａに印加することにより、光源ランプ４１１Ａの電極間の絶縁が破壊され、電気的導通が確保されて光源ランプ４１１Ａが点灯を開始する。
【００５２】
このようなランプ駆動ブロック５２を構成するダウンコンバータ５２１およびインバータブリッジ５２２は、後述する制御基板６の主制御系６１に電気的に接続されている。そして、主制御系６１から、電圧レベルを決定する電圧信号がダウンコンバータ５２１に出力され、また、インバータブリッジ５２２のトランジスタにパルス信号が出力される。これにより、光源ランプ４１１Ａへの印加電圧が変化して、当該光源ランプ４１１Ａの発光輝度の制御が行われる。
【００５３】
（4-3）電力規制部５３の構成
電力規制部５３は、本発明の電力規制手段に相当し、電源ブロック５１の一次側電力供給系５１１を構成する昇圧回路５１１４、および、ランプ駆動ブロック５２に接続されるとともに、後述する制御基板６の主制御系６１と電気的に接続され、主制御系６１からのエラー信号としての電力規制信号により、昇圧回路５１１４からランプ駆動ブロック５２に供給される電力を規制する。
具体的には、電力規制部５３は、昇圧回路５１１４から供給される電力をランプ駆動ブロック５２に供給する。一方、主制御系６１から電力規制信号が入力した場合、電力規制部５３は、昇圧回路５１１４からランプ駆動ブロック５２への電力供給を遮断する。
【００５４】
前述した電源ユニット５の側方には、図４に示すように、排気ファン７２が設置されており、電源ユニット５を冷却した空気を、ルーバ７１が取り付けられた開口から排出している。また、この電源ユニット５と、光学部品用筐体（図示省略）との間には、ダクト７３が設置されており、光源装置４１１を冷却した空気は、排気ファン７２により引き寄せられ、ダクト７３を通って、開口から排出される。
【００５５】
（５）制御基板６の構造
制御基板６は、図４に示すように、光学ユニット４の上方に配置される。この制御基板６は、ＣＰＵ（Central Processing Unit）等の演算処理装置が実装された回路基板として構成され、プロジェクタ１全体を制御する制御手段である。
【００５６】
制御基板６は、図６に示すように、プロジェクタ１全体の駆動制御を行う主制御系６１と、外部から入力される映像情報に応じて液晶パネル４４１（４４１Ｒ，４４１Ｇ，４４１Ｂ）を駆動制御する表示制御系６２と、この表示制御系６２によって液晶パネル４４１等の画像表示用設定情報の読込／書込が行われるメモリ６３と、主制御系６１および表示制御系６２を通信接続するバス６４とを備えている。
このうち、メモリ６３は、本実施形態では、フラッシュメモリによって構成されているが、電気的に書込および消去が可能な記録媒体であればよく、ＥＥＰＲＯＭ等によって構成してもよい。
【００５７】
ここで、バス６４は、当該バス６４を介して接続された主制御系６１および表示制御系６２のうち、少なくとも表示制御系６２により、主制御系６１から表示制御系６２へのデータ転送を遮断できるように構成されている。
このようなバス６４として、例えば、Ｉ２Ｃバス（Inter IC Bus）を採用することができる。Ｉ２Ｃバスは、ＳＣＬ（シリアルクロック）およびＳＤＡ（シリアルデータ）の２本のラインで通信接続が可能であり、ＳＣＬのハイ／ローの２つの電圧レベルで、ＳＤＡの転送同期を取りながらデータ転送を行う。ここで、表示制御系６２が、主制御系６１に対するＳＣＬをローレベルに設定することによって、主制御系６１からの信号出力を待機状態として遮断することができる。
【００５８】
主制御系６１は、前述の操作パネル２６の各操作スイッチ２６１，電源スイッチ２６２、および、前述のリモコン受光部２３２１から出力される操作信号に基づいて、表示制御系６２やランプ駆動ブロック５２のダウンコンバータ５２１およびインバータブリッジ５２２等に適宜、制御信号を出力する。
【００５９】
この主制御系６１は、通信監視部６１１と、エラー信号出力部６１２とを備えている。
通信監視部６１１は、表示制御系６２と接続されるバス６４の通信状態を監視し、１秒に１回の割合で判定する処理する。例えば、通信監視部６１１は、バス６４がＩ２Ｃバスで構成されている場合には、主制御系６１と表示制御系６２とを接続するＳＣＬの電圧レベルを判定する。また、通信監視部６１１から表示制御系６２に所定のデータを送信し、それに対する応答が表示制御系６２からあるかないかを判定することにより、通信状態を監視してもよい。なお、通信監視部６１１による判定は、１秒に１回としたが、これに限らず、適宜設定してよい。
【００６０】
エラー信号出力部６１２は、通信監視部６１１により、表示制御系６２との通信接続の遮断が検出された場合に、当該主制御系６１に接続された警告出力部に、エラー信号を生成出力する。このような警告出力部として、前述のインジケータ２６３、および、スピーカ２８が設けられている。これらインジケータ２６３およびスピーカ２８に、エラー信号出力部６１２から、エラー信号として点灯信号および警告音発生信号が入力すると、インジケータ２６３の点灯およびスピーカ２８の警告音出力が行われ、これにより、プロジェクタ１の駆動に障害が発生したことを使用者に通知することができる。
また、エラー信号出力部６１２は、エラー信号として電力規制信号を、電源ユニット５の電力規制部５３に生成出力し、当該電力規制信号が入力した電力規制部５３は、電源ブロック５１からランプ駆動ブロック５２への電力供給を遮断する。
【００６１】
図７は、表示制御系６２の構成を示すブロック図である。
表示制御系６２は、プロジェクタ１に接続された外部接続機器から前述のインターフェイス基板を介して入力する映像情報、および、メモリ６３に記録された画像表示用設定情報に基づいて液晶パネル４４１Ｒ，４４１Ｇ，４４１Ｂを駆動制御する。
この表示制御系６２は、図７に示すように、画像変換部６２１と、画像制御部６２２と、走査ドライバ６２３と、信号ドライバ６２４と、電源遮断信号受信部６２５と、クロック発生部６２６と、情報読込／書込部６２７と、通信遮断部６２８とを備えて構成されている。
【００６２】
画像変換部６２１は、インターフェイス基板から入力する映像情報、例えば、コンポジットビデオ信号から、水平同期信号、垂直同期信号およびコンポジット同期信号を抽出する。また、画像変換部６２１は、これら抽出した信号に基づいて、画像制御部６２２の仕様にあわせた水平同期信号、垂直同期信号（これらをあわせて同期信号ともいう）および映像信号を生成し、画像制御部６２２に出力する。
なお、クロック発生部６２６は、同期信号に基づいて所定の周波数のパルス信号を発生する。
【００６３】
画像制御部６２２は、使用者による操作スイッチ２６１の操作等に応じて主制御系６１から入力される画像表示用設定情報に基づいて、または、メモリ６３から読み込まれた画像表示用設定情報に基づいて、画像変換部６２１から入力される同期信号および映像信号を調整して、走査ドライバ６２３および信号ドライバ６２４に出力する。
また、この画像制御部６２２は、主制御系６１から入力する画像表示用設定情報をメモリ６３に保存する制御信号、および、メモリ６３に保存された画像表示用設定情報を読み込む制御信号を、情報読込／書込部６２７に出力する。
【００６４】
走査ドライバ６２３および信号ドライバ６２４は、それぞれ液晶パネル４４１の走査線４４１Ｖおよび信号線４４１Ｈと接続され、画像制御部６２２から出力される同期信号および映像信号に基づいて、液晶パネル４４１の駆動信号を当該走査線４４１Ｖおよび信号線４４１Ｈに出力する。
このうち、走査ドライバ６２３は、シフトレジスタ６２３１を備えている。このシフトレジスタ６２３１は、画像制御部６２２から入力する垂直同期信号を保持する複数のレジスタを備えて構成されている。これらそれぞれのレジスタを、クロック発生部６２６により発生したパルス信号に同期してシフトすることにより、液晶パネル４４１の駆動信号を走査線４４１Ｖに順次出力する。
信号ドライバ６２４は、シフトレジスタ６２４１およびサンプル・ホールド回路６２４２を備えている。このうち、シフトレジスタ６２４１は、シフトレジスタ６２３１と同様に、画像制御部６２２から入力する水平同期信号を保持する複数のレジスタを備えて構成されている。これらそれぞれのレジスタを、クロック発生部６２６により発生したパルス信号に同期してシフトすることにより、サンプル・ホールド回路６２４２に映像信号を保持させ、その保持した映像信号を信号線４４１Ｈに順次出力する。
【００６５】
電源遮断信号受信部６２５は、電源ユニット５の遮断信号出力部５１２３から出力される電源遮断信号を受信し、当該電源遮断信号を受信した旨を示す信号を、画像制御部６２２に出力する。
情報読込／書込部６２７は、画像制御部６２２からの制御信号に基づいて、メモリ６３に保存された画像表示用設定情報等を読み込んだり、主制御系６１からバス６４を介して出力される液晶パネル４４１等の画像表示用設定情報をメモリ６３に書込んで保存する。
通信遮断部６２８は、主制御系６１と表示制御系６２とを接続するバス６４の通信遮断を行う。前述のように、バス６４がＩ２Ｃバスで形成されている場合には、主制御系６１に対するＳＣＬをローレベルに設定して、主制御系６１からのデータ転送を遮断する。また、スイッチング素子を用いて、通信線の遮断を行う構成としてもよい。
【００６６】
（６）電源オフ時処理
ここで、電源スイッチ２６２またはリモートコントローラの電源スイッチ（図示省略）がオフされた場合のプロジェクタ１の処理について説明する。
外部電源からの電力供給が正常に行われている状態で、電源スイッチ２６２またはリモートコントローラの電源スイッチがオフされた場合、図６に示すように、電源スイッチ２６２に接続された回路基板およびリモコン受光部２３２１から、電源オフ信号が主制御系６１に出力される。この電源オフ信号が入力した主制御系６１は、表示制御系６２に画像表示用設定情報の保存を指示する制御信号を出力する。制御信号が入力した表示制御系６２は、情報読込／書込部６２７により、メモリ６３から読み込んでいた画像表示用設定情報、または、使用者により変更され主制御系６１から出力された画像表示用設定情報をメモリ６３に書き込むとともに、液晶パネル４４１の駆動を停止させる。
【００６７】
この後、主制御系６１は、ランプ駆動ブロック５２に、光源ランプ４１１Ａの消灯信号を出力するとともに、電力規制部５３に電力規制信号を出力し、電源ブロック５１からランプ駆動ブロック５２への電力供給を遮断して、光源ランプ４１１Ａを消灯する。また、これに伴い、プロジェクタ１の構成部品への電力供給が規制される。
【００６８】
このような電源オフ時処理により、電源スイッチがオフされた際に、画像表示用設定情報をメモリ６３に保存した後に、光源ランプ４１１Ａの消灯等の電源遮断処理が行われるので、画像表示用設定情報の確実に保持して、使用者による再設定の煩雑さを抑えることができる。
【００６９】
（７）電力供給遮断時処理
次に、外部電源との接続が外れたり、停電時のように、プロジェクタ１への電力供給が突然遮断された場合に、当該プロジェクタ１が行う電力供給遮断時処理について説明する。
なお、以下では、電源スイッチ２６２がオフされている場合では、プロジェクタ１は駆動していないので、電源スイッチ２６２がオンされ、プロジェクタ１が正常に駆動している場合の電源遮断時処理を説明する。
【００７０】
図８は、電力供給遮断時処理の処理フローを示す図である。
プロジェクタ１は、図８に示すように、電力供給状態では、電源ユニット５の電源ブロック５１により、外部商用電源から供給される交流電流を直流電流に変換し、変換した直流電流を二次側電力供給系５１２によって所定の電圧に変圧して、表示制御系６２および主制御系６１を備えて構成される制御基板６をはじめとするプロジェクタ１の構成部品に供給する（処理Ｓ１１）。
この処理Ｓ１１による電力供給が開始されることによって、表示制御系６２では、電源遮断信号受信部６２５により、電源遮断信号が入力されたかの監視が行われ（処理Ｓ２１）、主制御系６１では、通信監視部６１１により、表示制御系６２と接続するバス６４の通信状態が監視される（処理Ｓ３１）。
また、ここで、外部商用電源から供給された電力の一部が、電力保持部５１１３Ａに保持される。
【００７１】
この処理Ｓ１１による電力供給状態は、電源遮断検出部を構成する電力供給監視部５１１１および信号入力部５１２２によって監視され（処理Ｓ１２）、電力供給状態の判定処理が行われる（処理Ｓ１３）。
ここで、電力供給遮断が検出されない場合、すなわち、電力供給が正常に行われている場合には、処理Ｓ１１による電力供給が続行される。
一方、電力供給の遮断が検出された場合、すなわち、電力供給監視部５１により電力供給の遮断が検出された場合には、電力供給監視部５１１１から信号入力部５１２２に、電力供給が遮断された旨を示す所定の信号が出力される（処理Ｓ１４）。また、電力供給遮断に伴う電力保持部５１１３Ａへの印加電圧レベルの低下により、電力保持部５１１３Ａに保持された電力が自動的に解放される（処理Ｓ１５）。この処理Ｓ１５によって解放される電力保持部５１１３Ａの電力は、一次側電力供給系５１１の昇圧回路５１１４に供給された後、電力規制部５３およびランプ駆動ブロック５２を経て光源装置４１１に供給されるとともに、二次側電力供給系５１２を経て、主制御系６１および表示制御系６２を備えて構成される制御基板６等に供給される。これにより、外部商用電源からの電力供給が遮断された場合でも、電源ブロック５１による処理Ｓ１６〜Ｓ１８、表示制御系６２による処理Ｓ２２〜Ｓ２４、および、主制御系６１による処理Ｓ３２，Ｓ３３を実行することができる。
【００７２】
電力供給監視部５１１１からの信号は、信号入力部５１２２を介して、遮断信号出力部５１２３に入力し、遮断信号出力部５１２３は、この信号の入力継続期間を判定する（処理Ｓ１６）。この処理Ｓ１６において、信号入力期間が２５ｍｓｅｃ未満と判定された場合は、遮断信号出力部５１２３は、電力供給の遮断が瞬間停電であったとみなして処理Ｓ１１に戻して、再び電力供給状態の監視を続行させる。
一方、信号入力期間が２５ｍｓｅｃ以上と判定された場合は、遮断信号出力部５１２３は、電力供給が継続して遮断されたとみなして、電源遮断信号を生成し、表示制御系６２の電源遮断信号受信部６２５に当該電源遮断信号を出力する（処理Ｓ１７）。
このような処理S１６における信号入力継続期間の判定により、外部商用電流を供給する機器や送電線の切り替え時等に発生する瞬間停電のような短い期間の停電に対して、電源が遮断されたとみなすことなく、安定してプロジェクタ１を駆動することができる。
【００７３】
また、電力供給監視部５１１１による電力供給状態の監視は、処理S１７における遮断信号出力部５１２３による電源遮断信号の出力後も行われている。そして、電力供給が復旧したかの判定（処理Ｓ１８）により、電力供給が復旧したとみなされた場合には、電力供給が遮断された旨の信号が信号入力部５１２２に入力しなくなるので、遮断信号出力部５１２３からの電源遮断信号の出力を停止（処理Ｓ１９）し、処理Ｓ１１に戻って電力供給を再開し、プロジェクタ１を正常稼動させる。一方、電力供給が復旧しない場合は、電源ブロック５１での処理を終了する。
なお、電力供給監視部５１１１が発光素子を備えて構成され、信号入力部５１２２が当該発光素子の発光を受光する受光素子を備えて構成されている場合では、電力供給の復旧に伴って、発光素子が発光し、この発光を受光素子が自動的に検出することができるので、処理Ｓ１７における判定処理を簡易に、かつ、自動的に行うことができる。
【００７４】
表示制御系６２は、処理Ｓ２１における電源遮断信号受信部６２５での電源遮断信号の入力監視が行われている状態で、電源遮断信号が入力されたかどうかの判定を行う（処理Ｓ２２）。ここで、電源遮断信号受信部６２５が電源遮断信号を受信していない場合には、処理Ｓ２１に戻り、電源遮断信号の入力監視を続行する。一方、電源ブロック５１の処理Ｓ１７により、電源遮断信号が出力され、電源遮断信号受信部６２５が当該電源遮断信号を受信した場合には、画像制御部６２２は、通信遮断部６２８により、表示制御系６２で通常行われる処理に割り込んで、バス６４を介して行われる主制御系６１への通信接続を遮断する（処理Ｓ２３）。例えば、バス６４がＩ２Ｃバスで構成されている場合には、通信遮断部６２８は、主制御系６１に対するＳＣＬの電圧レベルをローレベルに設定する。
【００７５】
このような処理Ｓ２３における電力供給遮断時の主制御系６１と表示制御系６２との通信遮断を行うことにより、表示制御系６２が、主制御系６１からデータ転送される液晶パネル４４１等の画像表示用設定情報で、メモリ６３に記録されている画像表示用設定情報を更新することを防ぐことができる。
すなわち、操作パネル２６の操作スイッチ２６１，２６２およびリモコン受光部２３２１と接続される主制御系６１は、使用者の操作スイッチ２６１およびリモートコントローラの操作により、液晶パネル４４１の駆動状態を変更するように画像表示用設定情報を表示制御系６２に出力し、表示制御系６２では、情報読込／書込部６２７により、メモリ６３に記録されている画像表示用設定情報を、主制御系６１から転送された画像表示用設定情報で更新する。しかしながら、電力供給が遮断された場合では、電源電位の変異等により、主制御系６１から誤った画像表示用設定情報が転送されたり、転送データが変更されて画像表示用設定情報の消去を指示する制御信号が出力されてしまう場合がある。
このような場合でも、主制御系６１と表示制御系６２との通信接続が遮断されているので、表示制御系６２が主制御系６１から出力される誤った画像表示用設定情報および制御信号により、メモリ６３に保存された画像表示用設定情報を更新したり消去したりすることを防ぐことができる。従って、画像表示用設定情報を保護することができる。
【００７６】
また、この電源遮断信号は表示制御系６２に出力され、電源遮断信号を受信した表示制御系６２により、主制御系６１との通信接続が遮断されるので、プロジェクタ１の多数の処理を実行する主制御系６１により通信遮断が行われる場合に比べ、迅速に遮断処理（Ｓ２３）を実行することができる。さらに、電源遮断信号を受信してからの通信遮断は、表示制御系６２の通常の処理に割り込んで実行されるので、電源遮断に対する応答性を向上することができる。従って、画像表示用設定情報の保守性を向上することができる。
さらに、このような電源遮断時の表示制御系６２と主制御系６１との通信接続の遮断は、電力保持部５１１３Ａで保持された電力が用いられるので、電源遮断時においても確実に通信接続遮断を行うことができ、画像表示用設定情報を確実に保護することができる。
【００７７】
以上のような処理Ｓ２３における表示制御系６２と主制御系６１との通信接続遮断の後、電源遮断信号を受信する前に使用していた液晶パネル４４１等の画像表示用設定情報を、情報読込／書込部６２７によりメモリ６３に保存して（処理Ｓ２４）、表示制御系６２での処理は終了する。
このような処理Ｓ２４によれば、電源遮断信号を受信する直前まで使用していた画像表示用設定情報をメモリ６３に記録するので、最新の画像表示用設定情報を保存することができる。また、このような画像表示用設定情報の保存は、表示制御系６２と主制御系６１との通信接続が遮断された後に行われるので、主制御系６１から表示制御系６２へ誤った画像表示用設定情報が転送されることがないので、最新の画像表示用設定情報を確実に保存することができ、当該画像表示用設定情報の保守性をさらに高めることができる。
【００７８】
主制御系６１では、処理Ｓ３１の通信監視部６１１によるバス６４の通信状態監視が行われている状態で、当該通信監視部６１１により、バス６４を介する主制御系６１から表示制御系６２へのデータ転送が可能かどうかの判定が行われる（処理Ｓ３２）。この判定には、例えば、表示制御系６２へ、所定のデータを転送し、そのデータに対する表示制御系６２からの応答の有無によって判定してもよく、また、バス６４をＩ２Ｃバスで構成した場合では、ＳＣＬの電圧レベルを検出することによって行うことができる。
ここで、主制御系６１と表示制御系６２とのバス６４の通信接続が遮断されていない場合は、処理Ｓ３１に戻って、通信監視部６１１によるバス６４の通信状態の監視を続行する。
一方、バス６４の通信接続が遮断されている場合は、エラー信号出力部６１２により、プロジェクタ１の構成部品にエラー信号を出力する（処理Ｓ３３）。このような構成部品としては、電源ユニット５に設けられた電力規制部５３、および、警告出力部としてのインジケータ２６３やスピーカ２８等が挙げられる。
【００７９】
エラー信号として電力規制信号が出力された電力規制部５３は、電源ブロック５１からランプ駆動ブロック５２への電力供給を遮断する。これにより、電力保持部５１１３から光源装置４１１への電力供給が遮断されるので、外部電源からの電力供給が遮断され、電源電位の変動等により液晶パネル４４１で形成される画像が乱れた場合であっても、異常な画像を表示することを防ぐことができ、使用者に不快感を与えることを防ぐことができる。また、光源装置４１１への電力供給を遮断することにより、電力保持部５１１３で保持した有限な電力を、光源装置４１１で消費されることを抑えることができ、制御基板６等で行われる電力供給遮断時処理を確実に行うことができる。
また、エラー信号として点灯信号および警告音発生信号が出力されたインジケータ２６３およびスピーカ２８は、使用者にプロジェクタ１の駆動に障害が発生したことを通知すべく点灯および警告音発生を実行する。これにより、プロジェクタ１に駆動障害が発生したことを、使用者に確実に通知することができる。
【００８０】
以上のような、電力供給遮断時処理、すなわち、電源ブロック５１の処理Ｓ１７を起点とする表示制御系６２の処理Ｓ２２〜Ｓ２４および主制御系６１の処理Ｓ３２〜Ｓ３３によれば、電源遮断を検出した電源ブロック５１の遮断信号出力部５１２３が、表示制御系６２の電源遮断信号受信部６２５に電源遮断信号を出力し、これがトリガーとなって、表示制御系６２の通信遮断部６２８が、表示制御系６２と主制御系６１との通信接続を遮断することによって、メモリ６３の画像表示用設定情報を保護する。また、この表示制御系６２と主制御系６１との通信接続状態を、主制御系６１の通信監視部６１１が監視し、通信接続遮断が検出された場合に、エラー信号出力部６１２が、電力規制部５３と、警告出力部としてのインジケータ２６３およびスピーカ２８とに、エラー信号を出力して、光源装置４１１の消灯、インジケータ２６３の点灯、スピーカ２８の警告音発生を行うので、使用者にプロジェクタ１の駆動障害が発生したことを確実に通知することができる。
【００８１】
（８）電源投入時処理
次に、使用者によって電源スイッチ２６２がオンされた際に行われる電源投入時処理について説明する。
図９は、電源投入時処理の処理フローを示す図である。
電源投入時処理では、図９に示すように、電源ユニット５の電源ブロック５１から電力供給がなされ、使用者によって、操作パネル２６の電源スイッチ２６２、または、リモートコントローラの電源ボタンがオン操作された場合に、まず、主制御系６１の通信監視部６１１により、バス６４を介して行われる表示制御系６２との通信接続が遮断されているかを検出する（処理Ｒ１）。
【００８２】
ここで、表示制御系６２との通信接続が遮断されていない場合、すなわち、表示制御系６２との通信および表示制御系６２へのデータ転送が可能である場合には、プロジェクタ１を正常駆動する（処理Ｒ２）。例えば、主制御系６１から表示制御系６２に制御信号が出力されて、当該表示制御系６２により、メモリ６３から保存されていた画像表示用設定情報を取得する。また、ランプ駆動ブロック５２に光源ランプ４１１Ａの点灯を指示する制御信号を出力する。
【００８３】
一方、表示制御系６２との通信接続が遮断されている場合には、前述の処理Ｓ３３と同様に、プロジェクタ１の構成部品、例えば、電源ユニット５の電力規制部５３、インジケータ２６３およびスピーカ２８に、エラー信号としての電力規制信号、点灯信号、および、警告音発生信号を出力する（処理Ｒ３）。これにより、光源ランプ４１１Ａの点灯が行われないため、光学像の投射が行われず、また、プロジェクタ１の駆動に障害が発生していることを示すために、インジケータ２６３が点灯し、さらに、スピーカ２８から警告音が発生するので、使用者にプロジェクタ１の駆動障害が発生していることを確実に通知することができる。このような場合、使用者によるリセットスイッチの入力等のリセット操作の後、表示設定が変更されるまでは、汎用的な画像表示用設定データに基づいて、画像を表示するようにしてもよい。
【００８４】
（９）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００８５】
前記実施形態では、画像表示装置として、プロジェクタ１を例に挙げたが、本発明はこれに限らず、液晶ディスプレイ、および、ノートパソコン等のディスプレイ一体型パーソナルコンピュータ等に、本発明を採用してもよい。また、画像表示部として、液晶パネル４４１を用いて構成したが、マイクロミラーを用いたデバイスなど、液晶以外の画像表示部を用いてもよい。
さらに、スクリーンを観察する方向から投射を行なうフロントタイプのプロジェクタ１の例を挙げたが、本発明は、スクリーンを観察する方向とは反対側から投射を行なうリアタイプのプロジェクタにも適用可能である。
【００８６】
前記実施形態では、電源遮断検出部を構成する電力供給監視部５１１１が、電力供給の遮断を検出した際に、同じく電源遮断検出部を構成する遮断信号出力部５１２３により、表示制御系６２の電源遮断信号受信部６２５に、電源遮断信号が出力されるとしたが、本発明はこれに限らない。例えば、電力供給時には、遮断信号出力部５１２３から常に所定の信号が出力され、電力供給監視部５１１１により電力供給の遮断が検出され、遮断信号出力部５１２３により継続した電力供給遮断であると判定された時に、当該信号が出力されなくなるようにして、電力供給遮断を表示制御系６２に伝達するようにしてもよい。
【００８７】
前記実施形態では、警告出力部として、インジケータ２６３およびスピーカ２８をプロジェクタ１に設けたが、これらに限らず、液晶パネル４４１とは別の液晶表示部を設け、その液晶表示部に障害内容を表示するような構成でもよい。
また、電力供給遮断が発生した後に、電源が再投入された場合では、処理Ｒ３によって電力規制信号が入力した電力規制部５３により、光源装置４１１の光源ランプ４１１Ａを消灯するようにしたが、これに限らず、液晶パネル４４１によって障害内容を表す画像を形成し、光源ランプ４１１Ａを点灯させて投射面上に当該画像を投射して、使用者にプロジェクタ１の障害内容を通知するように構成してもよい。
【００８８】
前記実施形態では、光学ユニット４が平面視略Ｌ字形状を有した構成を説明したが、これに限らず、例えば、平面視略Ｕ字形状を有した構成を採用してもよい。
前記実施形態では、光束入射面と光束射出面とが異なる透過型の液晶パネル４４１を用いていたが、光入射面と光射出面とが同一となる反射型の液晶パネルを用いてもよい。
【産業上の利用可能性】
【００８９】
本発明は、プロジェクタに利用できる他、液晶ディスプレイ等の画像表示装置にも利用することができる。
【図面の簡単な説明】
【００９０】
【図１】本発明の一実施形態に係るプロジェクタを上方前面側から見た斜視図。
【図２】前記実施形態におけるプロジェクタを下方前面側から見た斜視図。
【図３】前記実施形態におけるプロジェクタを上方背面側から見た斜視図。
【図４】前記実施形態におけるプロジェクタの内部構造を示す斜視図。
【図５】前記実施形態における光学ユニットを示す模式図。
【図６】前記実施形態における電源ユニットおよび制御基板の構成を示すブロック図。
【図７】前記実施形態における表示制御系の構成を示すブロック図。
【図８】前記実施形態における電力供給遮断時処理の処理フローを示す図。
【図９】前記実施形態における電源投入時処理の処理フローを示す図。
【符号の説明】
【００９１】
１…プロジェクタ（画像表示装置）、６…制御基板（制御手段）、２８…スピーカ（警告出力部）、５１…電源ブロック（電力供給手段）、５３…電力規制部、６１…主制御系、６２…表示制御系、６３…メモリ、２６３…インジケータ（警告出力部）、４１１…光源装置（光源）、４４１（４４１Ｒ，４４１Ｇ，４４１Ｂ）…液晶パネル（画像表示部）、６１１…通信監視部、６１２…エラー信号出力部、６２７…情報読込／書込部（情報書込部）、６２８…通信遮断部、５１１１…電力供給監視部（電源遮断検出部）、５１１３Ａ…電力保持部、５１２２…信号入力部（電源遮断検出部）、５１２３…遮断信号出力部（電源遮断検出部）。
【図１】
2006071929.tif 000003
【図２】
2006071929.tif 000004
【図３】
2006071929.tif 000005
【図４】
2006071929.tif 000006
【図５】
2006071929.tif 000007
【図６】
2006071929.tif 000008
【図７】
2006071929.tif 000009
【図８】
2006071929.tif 000010
【図９】
2006071929.tif 000011